(57)【要約】      （修正有）【課題】油圧式エレベータ装置からロープ式エレベータ装置へのリニューアル時のダウンタイムが最小で、既設の機器を極力流用したエレベータ設備及びこのエレベータ設備のリニューアル方法を提供する。【解決手段】昇降路１内の、乗りかご２の側方空間に、前後に間隔を保って一対のカウンターガイドレール１１を立設し、この間隔内にカウンターウェイト１４を設ける。このカウンターガイドレール１１及びプランジャーガイドレール６の上部に、乗りかごの垂直投影断面を遮らない平面Ｌ字形のマシンベッド１２を取り付け、巻上機１３及びそらせシーブ１５ａ、１５ｂをこのマシンベッド１２に取り付ける。さらに、マシンベッド１２と乗りかご２のロープヒッチ２ａを接続するロープの中間部をカウンターシーブ１４ａ，１４ｂ、巻上機１３の駆動シーブ、及び前記そらせシーブ１５ａ，１５ｂに巻き掛けられる。【選択図】図１
2011057312.tif 000002
【特許請求の範囲】
【請求項１】
昇降路内に昇降可能に設置された乗りかごの一側面と前記昇降路の内壁との間に油圧ジャッキが立設され、一端を昇降路内下部に固定し他端を前記乗りかご側のロープヒッチに固定したロープの中間部を、上記油圧ジャッキのプランジャーシーブに巻き掛けた油圧式エレベータを、前記油圧ジャッキ及びその両側に立設された一対のプランジャーガイドレールを残存させた状態で、巻上機を用いたロープ式のエレベータにリニューアルしたエレベータ設備であって、
前記乗りかごの一側面に対して、上方から見てＬ字を成す乗りかごの他側面と、この他側面に対向する前記昇降路の他の内壁面との間に、この他の内壁面の面方向に沿って間隔を保って立設され、この間隔内に設けられるカウンターウェイトを昇降ガイドする一対のカウンターガイドレールと、
この一対のカウンターガイドレール及び前記一対のプランジャーガイドレールの上部に支持され、これら両ガイドレールが設けられた空間の上面を覆い、かつ、前記乗りかごの垂直投影断面を遮らない平面Ｌ字形のマシンベッドと、
このマシンベッドにより支持される巻上機及びそらせシーブと、
一端がこのマシンベッドに固定され他端は前記乗りかごのロープヒッチに固定され、中間部は前記カウンターウェイト用のシーブ、前記巻上機の駆動シーブ、及び前記そらせシーブに巻き掛けられるロープと、
を備えたことを特徴とするエレベータ設備。
【請求項２】
前記マシンベッドを、前記油圧ジャッキから伸長されて固定されたプランジャーの先端に設けられたマシンベッド支えにより支持することを特徴とする請求項１に記載のエレベータ設備。
【請求項３】
前記伸長され固定されたプランジャーに対し、一対の半円形部材をその軸部周囲を囲むように環状に連結してなるプランジャー支えを前記マシンベッド支えとの間に複数個段積構成し、これら段積構成された複数のプランジャー支えにより、前記マシンベッド支えを先端に有するからプランジャーを機械的に固定したことを特徴とする請求項２に記載のエレベータ設備。
【請求項４】
昇降路内に昇降可能に設置された乗りかごの一側面と前記昇降路の内壁との間に油圧ジャッキが立設され、一端を昇降路内下部に固定し他端を前記乗りかご側のロープヒッチに固定したロープの中間部を、上記油圧ジャッキのプランジャーシーブに巻き掛けた油圧式エレベータを、前記油圧ジャッキとその両側に立設された一対のプランジャーガイドレールを残存させた状態で、巻上機を用いたロープ式のエレベータにリニューアルするエレベータ設備のリニューアル方法であって、
前記乗りかごの一側面に対して上方から見てＬ字を成す乗りかごの他側面と、この他側面に対向する前記昇降路の他の内壁面との間に、前記他の内壁面の面方向に沿って間隔を保って一対のカウンターガイドレールを立設し、この一対のカウンターガイドレール間にカウンターウェイトを設ける工程と、
この一対のカウンターガイドレール及び前記一対のプランジャーガイドレールの上部に、これら両ガイドレールが設けられた空間の上面を覆い、かつ、前記乗りかごの垂直投影断面を遮らない平面Ｌ字形のマシンベッドを取り付ける工程と、
このマシンベッドにより巻上機及びそらせシーブを取り付ける工程と、
一端がこのマシンベッドに固定され他端は前記乗りかごのロープヒッチに固定されるロープの中間部を、前記カウンターウェイト用のシーブ、前記巻上機の駆動シーブ、及び前記そらせシーブに巻き掛ける工程と、
を有することを特徴とするエレベータ設備のリニューアル方法。
【発明の詳細な説明】
【技術分野】
【０００１】
本発明は、油圧エレベータを、巻上機を有するロープ式エレベータにリニューアルしたエレベータ設備、及びエレベータ設備のリニューアル方法に関する。
【背景技術】
【０００２】
一般的な間接式の油圧式エレベータ装置の昇降路平面構成を、図５を用いて説明する。
【０００３】
１は昇降路であり、その内部には乗りかご２がガイドレール３により昇降可能に案内支持されている。４は油圧ジャッキであり、図示しない油圧ポンプ装置から圧送もしくは戻入れされる作動油によりプランジャーを上昇・下降させる。５はプランジャーシーブであり、油圧ジャッキ４のプランジャーの上端に設置され、巻き掛けられた駆動ロープを介して乗りかご２を昇降させる。６はプランジャーガイドレールであり、油圧ジャッキ４の両側に設けられ、プランジャーシーブ５を垂直方向に案内する。この油圧ジャッキ４は、 昇降路１の下部にあるピットに架台等を介して設置されているシリンダと作動油によって稼動するプランジャーとからなり、例えば、シリンダはかごの昇降行程の半分以上の長さが必要となる。
【０００４】
ここで、油圧式エレベータ装置をロープ式エレベータ装置にする場合、 昇降路１の上部に機械室が存在しないため、 新たに設置するロープ式エレベータ装置の巻上機やカウンターウェイトなどは、昇降路１の内部に設置する必要がある。
【０００５】
昇降路１内には油圧式エレベータ装置特有の油圧ジャッキ４などの駆動部が存在するため、一例として、駆動部を含む油圧式エレベータ装置を全て撤去した後に、昇降路内に機械室レスロープ式エレベータ装置を改めて据え付けている（例えば、 特許文献１参照）。また、乗りかご２など、油圧式エレベータ装置の一部を残した場合の一例として、 油圧ジャッキ４を含む駆助装置を撤去して、 空いたスペースにカウンターウェイトを設置するものもある（例えば、特許文献２参照）。
【先行技術文献】
【特許文献】
【０００６】
【特許文献１】特許第３１６８１６１号公報
【特許文献２】特開２００７−３９２２４号公報
【発明の概要】
【発明が解決しようとする課題】
【０００７】
上記のような従来のエレベータ装置の改修方法では、 昇降路１内の油圧式エレベータ装置を全て撤去するのに手間がかかる上、 エレベータ装置が使用できないダウンタイムが長くなってしまい、利用者に不便を掛ける時間が長い。また、乗りかご２を残し、油圧ジャッキ４を含む駆助装置を撤去する場合においても、油圧ジャッキ４の長さが昇降路の半分以上あり、そのまま搬出することができないので、 乗りかご２を一旦撤去し、駆助装置を撤去後、再度乗りかご２を組み立てなければならない。このため、多くの手間がかかり、油圧式エレベータ装置を全て撤去する場合と同様にダウンタイムが長くなる。
【０００８】
本発明の目的は、油圧式エレベータ装置からロープ式エレベータ装置へのリニューアル時のダウンタイムが最小で、既設の機器を極力流用したエレベータ設備及びこのエレベータ設備のリニューアル方法を提供することにある。
【課題を解決するための手段】
【０００９】
本発明によるエレベータ設備は、昇降路内に昇降可能に設置された乗りかごの一側面と前記昇降路の内壁との間に油圧ジャッキが立設され、一端を昇降路内下部に固定し他端を前記乗りかご側のロープヒッチに固定したロープの中間部を、上記油圧ジャッキのプランジャーシーブに巻き掛けた油圧式エレベータを、前記油圧ジャッキ及びその両側に立設された一対のプランジャーガイドレールを残存させた状態で、巻上機を用いたロープ式のエレベータにリニューアルしたエレベータ設備であって、前記乗りかごの一側面に対して、上方から見てＬ字を成す乗りかごの他側面と、この他側面に対向する前記昇降路の他の内壁面との間に、この他の内壁面の面方向に沿って間隔を保って立設され、この間隔内に設けられるカウンターウェイトを昇降ガイドする一対のカウンターガイドレールと、この一対のカウンターガイドレール及び前記一対のプランジャーガイドレールの上部に支持され、これら両ガイドレールが設けられた空間の上面を覆い、かつ、前記乗りかごの垂直投影断面を遮らない平面Ｌ字形のマシンベッドと、このマシンベッドにより支持される巻上機及びそらせシーブと、一端がこのマシンベッドに固定され他端は前記乗りかごのロープヒッチに固定され、中間部は前記カウンターウェイト用のシーブ、前記巻上機の駆動シーブ、及び前記そらせシーブに巻き掛けられるロープとを備えたことを特徴とする。
【００１０】
本発明では、前記マシンベッドを、前記油圧ジャッキから伸長されて固定されたプランジャーの先端に設けられたマシンベッド支えにより支持してもよい。
【００１１】
また、本発明では、前記伸長され固定されたプランジャーに対し、一対の半円形部材をその軸部周囲を囲むように環状に連結してなるプランジャー支えを前記マシンベッド支えとの間に複数個段積構成し、これら段積構成された複数のプランジャー支えにより、前記マシンベッド支えを先端に有するからプランジャーを機械的に固定する構成でもよい。
【００１２】
さらに、本発明によるエレベータ設備のリニューアル方法は、昇降路内に昇降可能に設置された乗りかごの一側面と前記昇降路の内壁との間に油圧ジャッキが立設され、一端を昇降路内下部に固定し他端を前記乗りかご側のロープヒッチに固定したロープの中間部を、上記油圧ジャッキのプランジャーシーブに巻き掛けた油圧式エレベータを、前記油圧ジャッキとその両側に立設された一対のプランジャーガイドレールを残存させた状態で、巻上機を用いたロープ式のエレベータにリニューアルするエレベータ設備のリニューアル方法であって、前記乗りかごの一側面に対して上方から見てＬ字を成す乗りかごの他側面と、この他側面に対向する前記昇降路の他の内壁面との間に、前記他の内壁面の面方向に沿って間隔を保って一対のカウンターガイドレールを立設し、この一対のカウンターガイドレール間にカウンターウェイトを設ける工程と、この一対のカウンターガイドレール及び前記一対のプランジャーガイドレールの上部に、これら両ガイドレールが設けられた空間の上面を覆い、かつ、前記乗りかごの垂直投影断面を遮らない平面Ｌ字形のマシンベッドを取り付ける工程と、このマシンベッドにより巻上機及びそらせシーブを取り付ける工程と、一端がこのマシンベッドに固定され他端は前記乗りかごのロープヒッチに固定されるロープの中間部を、前記カウンターウェイト用のシーブ、前記巻上機の駆動シーブ、及び前記そらせシーブに巻き掛ける工程とを有することを特徴とする。
【発明の効果】
【００１３】
本発明によれば、油圧式エレベータ装置からロープ式エレベータ装置へのリニューアル時のダウンタイムを最小にでき、既設の機器を極力流用することができる。
【図面の簡単な説明】
【００１４】
【図１】本発明によるエレベータ設備の一実施の形態を示す平面図である。
【図２】同上一実施の形態の部分斜視図である。
【図３】本発明の他の実施の形態を示す斜視図である。
【図４】図３で用いるプランジャー支えの詳細形状を説明する斜視図である。
【図５】リニューアル前の油圧式エレベータ設備の平面図である。
【発明を実施するための形態】
【００１５】
以下、本発明の一実施の形態について、図面を用いて詳細に説明する。
【００１６】
図１及び図２は、この実施の形態のリニューアルされたエレベータ設備における昇降路の内部構成を示す平面図及び上部斜視図である。これらの図において、昇降路１内には、油圧式エレベータとしての運用時に用いられていた乗りかご２や油圧ジャッキ４がそのままの形で残されている。すなわち、乗りかご２は、その左右両側方に立設された一対のガイドレール３、３により昇降可能に支持されている。また、油圧ジャッキ４は、乗りかご２の一側面（図の例では背面）とこれに対向する昇降路１の内壁との間、すなわち、昇降路１内の後部空間内に、図示左方にやや寄せられて立設されている。また、この油圧ジャッキ４の左右両側には、油圧エレベータとしての運用時に、プランジャーシーブを昇降案内するために用いられた一対のプランジャーガイドレール６，６が立設されている。
【００１７】
また、乗りかご２の前記一側面（図示背面）と上方から見てＬ字を成す他側面（図示左側面）と、この他側面に対向する昇降路の他の内壁面（図示左内側面）との間、すなわち、昇降路内の図示左側部空間内には、一対のガイドレール１１，１１が立設されている。この一対のガイドレール１１，１１は、昇降路１の他の内壁面（図示左内側面）の面方向に沿って図示前後に間隔を保って立設されている。この一対のガイドレール１１，１１間にはカウンターウェイト１４が設けられており、このカウンターウェイト１４を昇降可能にガイドする。
【００１８】
これら一対のカウンターガイドレール１１，１１及び一対のプランジャーガイドレール６，６の上部には、マシンベッド１２が一体的に支持されている。このマシンベッド１２は、これら両ガイドレール１１，１１および６，６が設けられた、昇降路１内の後部空間及び左側部空間上を覆い、かつ、乗りかご２の垂直投影断面を遮らないようにＬ字形に形成されている。
【００１９】
このマシンベッド１２には、巻上機１３及びそらせシーブ１５ａ，１５ｂがそれぞれ取り付けられている。前記カウンターウェイト１４は、吊支持用として、２つのシーブ（以下、カウンターシーブと呼ぶ）１４ａ，１４ｂを、その上面の左右部分に設けており、巻上機１３は、これら２つのカウンターシーブ１４ａ，１４ｂの中間部分の上方に配置されている。また、２つのそらせシーブ１５ａ，１５ｂは、乗りかご２の後部中央に設けられたロープヒッチ２ａからのロープ立ち上がり部分と、一方のカウンターシーブ１４ｂのロープ巻き掛け部とをむすぶ直線上に、直列に配置される。
【００２０】
図２で示すロープ１６は、その一端がマシンベッド１２に固定されたのち下降し、一方のカウンターシーブ１４ａに図示下回りで巻き掛けられて上昇し、巻上機１３の駆動シーブには図示上まわりで巻き掛けられて下降し、他方のカウンターシーブ１４ｂに図示下回りで巻き掛けられて再度上昇し、２つのそらせシーブ１５ａ，１５ｂに図示上まわりで巻き掛けられて下降し、その他端は乗りかご２のロープヒッチ２ａに固定されている。
【００２１】
このカウンターウェイト１４は、この実施の形態においては、乗りかご２の総質量と最大積載質量の半分とを足したものを４倍した質量が必要となる。すなわち、乗りかご２側は、ロープヒッチ部２ａとそらせシーブ１５ａ，１５ｂとによる１：１ローピングであるが、カウンターウェイト１４側は、２つのカウンターシーブ１４ａ，１４ｂと巻上機１３とによる４：１ローピングであるため、カウンターウェイト１４の質量は、通常の１：１ローピングの場合に比べ４倍必要となる。ただし、カウンターウェイト１４の昇降ストロークは１／４となる。
【００２２】
上記構成において、油圧式エレベータをロープ式エレベータにリニューアルする場合は、既設の油圧式エレベータ装置が稼動している状態で夜間など休止時間帯を利用してカウンターガイドレール１１，１１を設置する。このカウンターガイドレール１１，１１はカウンターウエイ ト１４を昇降案内すると共に、巻上機１３、 そらせシーブ１５ａ、 １ ５ｂが設置されたマシンベッド１２を支える必要があるため、負担重量に見合ったサイズを選択する。
【００２３】
次に、カウンターウェイト１４を設置するが、この時点では主ロープ１６は巻き掛けないため、 カウンターガイドレール１１、１１間の下部で、主ロープ１６の巻き掛け時に丁度良い位置に固定しておく。次に、巻上機１３とそらせシーブ１５ａ、 １ ５ｂを設置したマシンベッド１２を、カウンターガイドレール１１とプランジャーガイドレール６の最上部に連結する。また、詳細は示さないが、その他乗りかご２の昇降に支障をきたさない制御盤や配線類は休止時間帯に設置を行っておく。この段階までは通常の油圧式エレベータ装置として使用する。
【００２４】
次に、油圧式エレベータ装置から巻上機を用いたロープ式エレベータ装置への切替作業について説明する。まず、乗りかご２を図示しない揚重機などによって吊り上げて固定し、 油圧式における駆動ロープ及びプランジヤシーブ５を撤去する。このとき、 油圧ジャッキ４は作動油を抜き、 プランジャーを最下部まで下げておく。最後に主ロープ１６の一端をマシンベッド１２に固定し、他端をカウンターシーブ１４ａ、 巻上機１３、 カウンターシーブ１４ｂ、そらせシーブ１５ａ、 １５ｂに巻き掛け、他端を乗りかご２のロープヒッチ２ａに接続して完了となる。
【００２５】
次に、図３で示す実施の形態を説明する。この実施の形態では、マシンベッド１２の支持を、カウンターガイドレール１１とプランジャーガイドレール６だけでなく、残存させた油圧ジャッキ４から伸長されて、機械的に固定されたプランジャーによっても支持している。すなわち、油圧ジャッキ４から伸長されて、機械的に固定されたプランジャーの先端にマシンベッド支え２２を設け、このマシンベッド支え２２によってもマシンベッド１２を支持するようにしている。
【００２６】
この実施の形態では、 乗りかご２側のローピングが１：１のため、乗りかご２の総質量と積載質量がそのままそらせシーブ１５ａ， １５ｂに掛かる。このため、乗りかご２が大容量の場合は、プランジャーガイドレール６の強度だけでは不十分な場合がある。このような場合には、油圧ジャッキ４から伸長させたプランジャーを機械的に固定し、その上端部に設けたマシンベッド支え２２を用いてマシンベッド１２を支える。このことにより、プランジャレール６に掛かる垂直荷重を軽減することができる。
【００２７】
油圧ジャッキ４から伸長されたプランジャーを伸長状態で機械的に固定する構造としては、プランジャーの軸部周囲を囲むように、環状のプランジャー支え３１を複数個段積構成し、この段積構成した最上段のプランジャー支え３１の上面を、マシンベッド支え２２の下面に接触させることで、マシンベッド支え２２を機械的に固定すればよい。この結果、段積構成した複数のプランジャー支え３１により、プランジャーに加わる垂直荷重を負担させることができる。
【００２８】
このプランジャー支え３１は、図４で示す半円形部材３１ａを、プランジャーの軸部周囲を囲むように環状に連結したものである。すなわち、一対の半円形部材３１ａを、プランジヤを囲むように環状に留めて、かつ上下に積み上げる。この半円形部材３１ａには、上向きの２本の仮止め用フック３２ａ、 ３２ｂと、下向きの１本の仮止め用フック３２ｃとが一体に設けられており、これら仮止め用フック３２ａ、 ３２ｂ、 ３３ｃを噛み合わせることにより、半円形部材３１ａの段積組立時の作業が容易となり、短時間でプランジャー支え３１の段積組立作業を行うことができる。
【００２９】
このように、油圧式エレベータ装置からロープ式エレベータ装置にリニューアルする場合、乗りかご２や、油圧ジャッキ４、プランジャーガイドレール６を流用でき、 かつプランジャーシーブを取り外す直前まで油圧式エレベータ装置として使用できるので、エレベータとして使用できないダウンタイムを最小限にすることができる。
【００３０】
なお、上記実施の形態では、カウンターウェイト１４に２個のカウンターシーブ１４ａ，１４ｂを設け、巻上機１３と共に、カウンターウェイト１４側を４：１ローピングとしていたが、本発明はこれに限定されず、例えば、カウンターウェイト１４に１個のカウンターシーブ１４ａのみを設け、巻上機１３と共に、カウンターウェイト１４側を２：１ローピングとしてもよい。
【符号の説明】
【００３１】
１…昇降路
２…乗りかご
２ａ…ロープヒッチ
３…乗りかご用ガイドレール
４…油圧ジャッキ
６…プランジャーガイドレール
１１…カウンタレール
１２…マシンベッド
１３…巻上機
１４…カウンターウェイト
１４ａ，１４ｂ…カウンターシーブ
１５ａ，１５ｂ…そらせシーブ
１６…ロープ
２２…マシンベッド支え
３１…プランジャー支え
３１ａ…半円形部材
【図１】
2011057312.tif 000003
【図２】
2011057312.tif 000004
【図３】
2011057312.tif 000005
【図４】
2011057312.tif 000006
【図５】
2011057312.tif 000007